(57)【要約】【課題】無線通信装置の通信品質を従来よりも向上させる。【解決手段】複数のアンテナ（６３）のそれぞれは、スマートフォン（１）の筐体の異なる位置に設けられている。制御部（１０）は、複数のアンテナ（６３）のうち、電波を受信する動作を行わせる対象である対象アンテナを選択する。制御部（１０）は、対象アンテナに応じて、筐体の把持推奨領域を特定する。制御部（１０）は、把持推奨領域を表示部（７１）に報知させる。【選択図】図１
2019193164.tif 000002
【特許請求の範囲】
【請求項１】
複数のアンテナを含む少なくとも１つの無線通信部と、
少なくとも１つの報知部と、
上記無線通信部および上記報知部を制御する少なくとも１つの制御装置と、を備えた無線通信装置であって、
上記複数のアンテナのそれぞれは、上記無線通信装置の筐体の異なる位置に設けられており、
上記複数のアンテナのうち、電波を受信する動作を行わせる対象となる少なくとも１つの所定のアンテナを対象アンテナとし、
上記筐体の領域のうち、ユーザによって把持された場合に、上記対象アンテナの電波受信特性の劣化の程度が低い領域を把持推奨領域として、
上記制御装置は、
上記複数のアンテナの中から、上記対象アンテナを選択し、
上記対象アンテナに応じた上記把持推奨領域を特定し、
上記把持推奨領域を上記報知部に報知させることを特徴とする無線通信装置。
【請求項２】
上記制御装置は、
上記無線通信装置の現在位置を示す位置情報を取得し、
上記位置情報に基づいて、上記現在位置に応じた上記対象アンテナを選択することを特徴とする請求項１に記載の無線通信装置。
【請求項３】
予め設定された複数の地点のそれぞれにおける、上記複数のアンテナのそれぞれの電波受信特性の評価結果を示すテーブルを特殊テーブルとして、
上記制御装置は、上記特殊テーブルにさらに基づいて、上記現在位置に応じた上記対象アンテナを選択することを特徴とする請求項２に記載の無線通信装置。
【請求項４】
少なくとも１つの加速度センサをさらに備え、
上記制御装置は、
上記加速度センサの検出結果に基づいて、上記無線通信装置の姿勢を検出し、
上記無線通信装置の姿勢にさらに基づいて、上記現在位置に応じた上記対象アンテナを選択することを特徴とする請求項２または３に記載の無線通信装置。
【請求項５】
上記報知部として、少なくとも１つの表示部をさらに備え、
上記制御装置は、上記把持推奨領域を示す画像を上記表示部に表示させることを特徴とする請求項１から４のいずれか１項に記載の無線通信装置。
【請求項６】
上記報知部として、少なくとも１つの表示部をさらに備え、
上記制御装置は、上記対象アンテナの位置を示す画像を、上記表示部に表示させることを特徴とする請求項１から４のいずれか１項に記載の無線通信装置。
【請求項７】
上記報知部として、少なくとも１つの表示部をさらに備え、
上記制御装置は、上記把持推奨領域の存在を示唆する線を示す画像を、上記表示部の縁部に表示させることを特徴とする請求項１から４のいずれか１項に記載の無線通信装置。
【請求項８】
上記ユーザが上記筐体を把持した位置を検出する少なくとも１つの接触センサをさらに備え、
上記筐体の領域のうち、上記把持推奨領域を除いた領域を把持非推奨領域として、
上記制御装置は、
上記接触センサの検出結果に基づいて、上記ユーザが上記把持推奨領域を把持しているか否かを判定し、
上記ユーザが上記把持非推奨領域を把持している場合、その旨を上記報知部に報知させることを特徴とする請求項１から７のいずれか１項に記載の無線通信装置。
【請求項９】
複数のアンテナを含む少なくとも１つの無線通信部と、
少なくとも１つの報知部と、を備えた無線通信装置を制御するための、無線通信装置の制御方法であって、
上記複数のアンテナのそれぞれは、上記無線通信装置の筐体の異なる位置に設けられており、
上記複数のアンテナのうち、電波を受信する動作を行わせる対象となる少なくとも１つの所定のアンテナを対象アンテナとし、
上記筐体の領域のうち、ユーザによって把持された場合に、上記対象アンテナの電波受信特性の劣化の程度が低い領域を把持推奨領域として、
上記複数のアンテナの中から、上記対象アンテナを選択する工程と、
上記対象アンテナに応じた上記把持推奨領域を特定する工程と、
上記把持推奨領域を上記報知部に報知させる工程と、を含んでいることを特徴とする無線通信装置の制御方法。
【請求項１０】
複数のアンテナを含む少なくとも１つの無線通信部と、
少なくとも１つの報知部と、を備えた無線通信装置を制御する制御装置であって、
上記複数のアンテナのそれぞれは、上記無線通信装置の筐体の異なる位置に設けられており、
上記複数のアンテナのうち、電波を受信する動作を行わせる対象となる少なくとも１つの所定のアンテナを対象アンテナとし、
上記筐体の領域のうち、ユーザによって把持された場合に、上記対象アンテナの電波受信特性の劣化の程度が低い領域を把持推奨領域として、
上記制御装置は、
上記複数のアンテナの中から、上記対象アンテナを選択するアンテナ選択部と、
上記対象アンテナに応じた上記把持推奨領域を特定する把持推奨領域特定部と、
上記把持推奨領域を上記報知部に報知させる報知制御部と、を備えていることを特徴とする制御装置。
【請求項１１】
請求項１に記載の無線通信装置としてコンピュータを機能させるための制御プログラムであって、上記制御装置としてコンピュータを機能させるための制御プログラム。
【発明の詳細な説明】
【技術分野】
【０００１】
本発明の一態様は、無線通信装置に関する。
【背景技術】
【０００２】
無線通信装置の通信品質を向上させるための様々な工夫が提案されている。例えば、特許文献１には、人体の接近に伴うアンテナの特性劣化をユーザに報知する技術が開示されている。
【先行技術文献】
【特許文献】
【０００３】
【特許文献１】特開２００７−３６３４６号公報
【発明の概要】
【発明が解決しようとする課題】
【０００４】
本発明の一態様は、無線通信装置の通信品質を従来よりも向上させることを目的とする。
【課題を解決するための手段】
【０００５】
上記の課題を解決するために、本発明の一態様に係る無線通信装置は、複数のアンテナを含む少なくとも１つの無線通信部と、少なくとも１つの報知部と、上記無線通信部および上記報知部を制御する少なくとも１つの制御装置と、を備えた無線通信装置であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナとし、上記筐体の領域のうち、ユーザによって把持された場合に、上記対象アンテナの電波受信特性の劣化の程度が低い領域を把持推奨領域として、上記制御装置は、上記複数のアンテナの中から、上記対象アンテナを選択し、上記対象アンテナに応じた上記把持推奨領域を特定し、上記把持推奨領域を上記報知部に報知させる。
【０００６】
また、上記の課題を解決するために、本発明の一態様に係る無線通信装置の制御方法は、複数のアンテナを含む少なくとも１つの無線通信部と、少なくとも１つの報知部と、を備えた無線通信装置を制御するための、無線通信装置の制御方法であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナとし、上記筐体の領域のうち、ユーザによって把持された場合に、上記対象アンテナの電波受信特性の劣化の程度が低い領域を把持推奨領域として、上記複数のアンテナの中から、上記対象アンテナを選択する工程と、上記対象アンテナに応じた上記把持推奨領域を特定する工程と、上記把持推奨領域を上記報知部に報知させる工程と、を含んでいる。
【０００７】
また、上記の課題を解決するために、本発明の一態様に係る制御装置は、複数のアンテナを含む少なくとも１つの無線通信部と、少なくとも１つの報知部と、を備えた無線通信装置を制御する制御装置であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナとし、上記筐体の領域のうち、ユーザによって把持された場合に、上記対象アンテナの電波受信特性の劣化の程度が低い領域を把持推奨領域として、上記制御装置は、上記複数のアンテナの中から、上記対象アンテナを選択するアンテナ選択部と、上記対象アンテナに応じた上記把持推奨領域を特定する把持推奨領域特定部と、上記把持推奨領域を上記報知部に報知させる報知制御部と、を備えている。
【発明の効果】
【０００８】
本発明の一態様に係る無線通信装置によれば、無線通信装置の通信品質を従来よりも向上させることができる。また、発明の一態様に係る無線通信装置の制御方法および制御装置によっても、同様の効果を奏する。
【図面の簡単な説明】
【０００９】
【図１】実施形態１のスマートフォンの要部の構成を示す機能ブロック図である。
【図２】（ａ）〜（ｃ）はそれぞれ、第１の例における表示画面の一例を示す図である。
【図３】第１の例における表示画面の別の例を示す図である。
【図４】（ａ）〜（ｃ）はそれぞれ、第１の例における表示画面のさらに別の例を示す図である。
【図５】（ａ）〜（ｃ）はそれぞれ、第２の例における表示画面の一例を示す図である。
【図６】第２の例における表示画面の別の例を示す図である。
【図７】（ａ）〜（ｃ）はそれぞれ、第２の例における表示画面のさらに別の例を示す図である。
【図８】（ａ）〜（ｃ）はそれぞれ、第３の例における表示画面の一例を示す図である。
【図９】第３の例における表示画面の別の例を示す図である。
【図１０】（ａ）〜（ｃ）はそれぞれ、第３の例における表示画面のさらに別の例を示す図である。
【図１１】アンテナ切換テーブルの一例を示す図である。
【図１２】職場内の各地点における各対象アンテナの通信品質について説明するための図である。
【図１３】図１のスマートフォンにおける処理の流れを例示する図である。
【図１４】一変形例に係るスマートフォンについて説明するための図である。
【図１５】別の変形例に係るスマートフォンについて説明するための図である。
【図１６】実施形態２のスマートフォンの要部の構成を示す機能ブロック図である。
【図１７】図１６のスマートフォンにおける処理の流れを例示する図である。
【図１８】図１６のスマートフォンにおける処理の流れを例示する図である。
【図１９】図１６のスマートフォンにおける処理の流れを例示する図である。
【図２０】実施形態３のスマートフォンの要部の構成を示す機能ブロック図である。
【発明を実施するための形態】
【００１０】
〔実施形態１〕
以下、実施形態１のスマートフォン１（無線通信装置）について説明する。説明の便宜上、実施形態１にて説明した部材と同じ機能を有する部材については、以降の実施形態では、同じ符号を付記し、その説明を繰り返さない。また、以下の説明では、実施形態１と関係しない事項については、説明を適宜省略する。スマートフォン１の各部材について説明を省略した事項については、公知技術と同様である。
【００１１】
実施形態１では、無線通信装置の一例として、スマートフォン１（携帯型の無線通信装端末）を例示する。但し、本発明の一態様に係る無線通信装置は、携帯型の装置に限定されない。当該無線通信装置は、所定の設備内に据え付けられた状態で使用される装置であってもよい。当該無線通信装置は、無線通信機能を有していればよい。
【００１２】
（スマートフォン１の概要）
図１は、スマートフォン１の要部の構成を示す機能ブロック図である。スマートフォン１は、制御部１０（制御装置）、無線通信部６０、タッチパネル７０、センサ８０、および記憶部９０を備える。図１では、制御部１０および記憶部９０が１つである場合が例示されているが、制御部１０および記憶部９０の個数は複数であってもよい。この点は、タッチパネル７０（より具体的には、表示部７１および入力部７２のそれぞれ）についても同様である。また、その他の機能部についても同様である。
【００１３】
制御部１０は、スマートフォン１の各部を統括的に制御する。特に、制御部１０は、（ｉ）無線通信部６０におけるアンテナの切換、および、（ｉｉ）タッチパネル７０における表示を、それぞれ制御する。制御部１０は、表示制御部１１（報知制御部）、現在位置特定部１２、把持領域特定部１３、姿勢検出部１４、アンテナ切換制御部１５（アンテナ選択部）、把持推奨領域特定部１６、および電波強度判定部１７を備える。制御部１０の具体的な動作については後述する。
【００１４】
無線通信部６０は、アンテナ切換部６１、送受信部６２、およびアンテナ６３を備える。アンテナ６３は、電波（無線信号）を送受信する複数のアンテナを総称的に表す。アンテナ６３は、アンテナ６３Ｌ・６３Ｍ・６３Ｈを含む。アンテナ６３Ｌ・６３Ｍ・６３Ｈは、セルラーアンテナ（セルラー通信用のアンテナ）である。より具体的には、
・アンテナ６３Ｌ：Ｌ（Low）−Ｂａｎｄ通信用のアンテナ；
・アンテナ６３Ｍ：Ｍ（Middle）−Ｂａｎｄ通信用のアンテナ；
・アンテナ６３Ｈ：Ｈ（High）−Ｂａｎｄ通信用のアンテナ；
である。
【００１５】
さらに、アンテナ６３は、アンテナ６３Ｗ・６３Ｇを含む。アンテナ６３Ｗは、ＷＬＡＮ（Wireless Local Area Network）通信用のアンテナである。アンテナ６３Ｇは、ＧＰＳ（Global Positioning System）通信用のアンテナである。アンテナ６３には、図１において不図示の他の種類のアンテナが含まれていてもよい。
【００１６】
アンテナ６３には、電波受信特性（以下、単に「特性」とも称する）が互いに異なる少なくとも２つのアンテナが含まれている。アンテナ６３の特性には、アンテナ６３の周波数特性および指向特性の少なくともいずれかが含まれていてよい。実施形態１では、アンテナ６３Ｌ〜６３Ｇはそれぞれ、異なる特性を有する。アンテナ６３Ｌ〜６３Ｇはそれぞれ、スマートフォン１の筐体（以下、単に筐体）（不図示）の異なる位置に設けられている（より具体的には、内蔵されている）。
【００１７】
送受信部６２は、アンテナ６３を用いた電波の送受信のための処理を行う。送受信部６２は、セルラー送受信部、ＷＬＡＮ送受信部、およびＧＰＳ送受信部を含む。セルラー送受信部は、アンテナ６３Ｌ・６３Ｍ・６３Ｈを用いたセルラー通信における、電波の送受信のための処理を行う。ＷＬＡＮ送受信部は、アンテナ６３Ｗを用いたＷＬＡＮ通信における、電波の送受信のための処理を行う。ＧＰＳ送受信部は、アンテナ６３Ｇを用いたＧＰＳ通信における、電波の送受信のための処理を行う。送受信部６２は、上述の他の種類のアンテナに応じた付加的な送受信部が含まれていてもよい。
【００１８】
アンテナ切換部６１は、アンテナ６３のそれぞれと送受信部６２との接続状態（接続関係）を切り換える。つまり、アンテナ切換部６１は、スマートフォン１において、アンテナ６３のそれぞれの通信回線のＯＮ（導通）／ＯＦＦ（開放）を切り換える。アンテナ切換部６１は、公知のスイッチング回路によって実現されてよい。
【００１９】
タッチパネル７０は、表示部７１と入力部７２とが一体として設けられた部材である。表示部７１は、例えば液晶パネルである。入力部７２は、例えばタッチセンサである。但し、表示部７１と入力部７２とは、個別の部材として設けられてもよい。例えば、スマートフォン１に設けられたハードウェアキーを、入力部７２として用いてもよい。なお、スマートフォン１の面のうち、タッチパネル７０（より厳密には、表示部７１）が設けられた面を、スマートフォン１の正面（主面）と称する。
【００２０】
センサ８０は、スマートフォン１に設けられる各種のセンサを総称的に表す。センサ８０は、加速度センサ８１、背面センサ８２、および側面センサ８３を含む。加速度センサ８１は、例えば３軸の加速度センサである。加速度センサ８１は、重力方向の加速度を検出できる。このように、加速度センサ８１は、重力センサとしての役割をも果たす。
【００２１】
背面センサ８２は、スマートフォン１の背面（正面とは反対の面）に設けられている。背面センサ８２は、例えばタッチセンサである。側面センサ８３は、スマートフォン１の側面に設けられている。側面センサ８３は、例えばグリップセンサ（タッチセンサの一例）である。ユーザ（例：後述の図１０のユーザＵ）が筐体を把持する場合、スマートフォン１の正面、背面、および側面の少なくともいずれかに、当該ユーザの手ＵＨ（後述の図４等を参照）が触れることが考えられる。手ＵＨは、人体の一部（人体の所定の部位）の一例である。
【００２２】
タッチパネル７０（より厳密には、入力部７２）、背面センサ８２、および側面センサ８３はいずれも、手ＵＨが自身に接触した位置（例：座標）を検出できるように構成されている。タッチパネル７０によれば、手ＵＨがスマートフォン１の正面に触れたことを検出できる。背面センサ８２よれば、手ＵＨがスマートフォン１の背面に触れたことを検出できる。側面センサ８３よれば、手ＵＨがスマートフォン１の側面に触れたことを検出できる。
【００２３】
以下、タッチパネル７０、背面センサ８２、および側面センサ８３を、総称的に接触センサと称する。このことから、タッチパネル７０も、センサ８０の構成要素として含まれうると理解されてよい。但し、図１では、便宜上、タッチパネル７０とセンサ８０とを個別の部材として図示している。
【００２４】
（制御部１０）
表示制御部１１は、タッチパネル７０（表示部７１）の表示を制御する。特に、以下に述べるように、表示制御部１１は、把持推奨領域（後述）を示す画像をタッチパネル７０に表示させてよい。タッチパネル７０は、把持推奨領域をユーザに報知する報知部の一例である。
【００２５】
現在位置特定部１２は、スマートフォン１の現在の位置（現在位置）を示す現在位置情報を取得する。一例として、現在位置特定部１２は、ＧＰＳ通信によって現在位置情報を取得する。但し、現在位置特定部１２は、セルラー通信またはＷＬＡＮ通信によって、現在位置情報を取得してもよい。
【００２６】
把持領域特定部１３は、接触センサの検出結果に基づいて、把持領域を特定する。把持領域とは、筐体の領域のうち、ユーザによって把持されている領域である。具体的には、把持領域特定部１３は、把持領域を示す座標を特定する。当該座標は、２次元座標であってもよいし、３次元座標であってもよい。
【００２７】
また、把持領域特定部１３は、ユーザが把持推奨領域を把持しているか否かを判定することもできる。具体的には、把持領域特定部１３は、把持領域の全体が把持推奨領域に含まれている場合には、ユーザが把持推奨領域を把持していると判定する。
【００２８】
姿勢検出部１４は、加速度センサ８１の検出結果に基づいて、スマートフォン１の姿勢を検出する。一例として、姿勢検出部１４は、加速度センサ８１の検出結果に基づいて、水平面（重力方向に垂直な面）を検出する。そして、姿勢検出部１４は、水平面に対するスマートフォン１の傾斜角を算出する。
【００２９】
アンテナ切換制御部１５は、アンテナ切換部６１を制御する。アンテナ切換制御部１５は、複数のアンテナ６３から、電波を受信する動作を行わせる対象となる少なくとも１つの所定のアンテナ（以下、対象アンテナ）を選択する。そして、アンテナ切換制御部１５は、アンテナ切換部６１を制御し、対象アンテナの通信回線をＯＮする。このように、アンテナ切換制御部１５は、アンテナ切換部６１を介して、対象アンテナを起動させる。
【００３０】
一例として、アンテナ切換制御部１５は、現在位置情報に応じて、対象アンテナを選択する。より具体的には、アンテナ切換制御部１５は、アンテナ切換テーブル（後述の図１１のＴＢ）を参照し、対象アンテナを選択してよい。一例として、ＴＢは、記憶部９０に予め格納されている。ＴＢを参照することにより、簡便な処理によって対象アンテナを選択できる。
【００３１】
ところで、筐体に触れている手ＵＨ（人体の一部）が、対象アンテナの近傍に位置している場合、当該対象アンテナの特性（電波受信特性）が劣化しうる。手ＵＨが対象アンテナに接近した場合、当該対象アンテナのインピーダンスが変化しうるためである。また、手ＵＨが対象アンテナに接近した場合、当該対象アンテナが受信する電波の一部が、手ＵＨによって吸収されうるためである（特許文献１も参照）。
【００３２】
そこで、把持推奨領域特定部１６は、把持推奨領域を特定する。把持推奨領域とは、筐体の領域のうち、ユーザによって把持された場合に、対象アンテナの特性の劣化の程度が低い領域（より厳密には、低いと期待される領域）である。スマートフォン１（無線通信装置）における通信品質を向上させるためには、ユーザに把持推奨領域を把持させることが好ましい。なお、筐体の領域のうち、把持推奨領域を除いた領域を、保持非推奨領域と呼称する。
【００３３】
電波強度判定部１７は、アンテナ６３が受信している電波の強度（電波強度）（以下、ＲＳＳＩ）を検出する。そして、電波強度判定部１７は、ＲＳＳＩとＲＴＨとの大小比較を行う。ＲＴＨは、ＲＳＳＩに対する所定の閾値（電波強度閾値）である。
【００３４】
（第１の例）
図２〜図４はそれぞれ、スマートフォン１の動作の一例（第１の例）について説明するための図である。図２は、第１の例におけるスマートフォン１の表示画面の一例を示す。第１の例では、アンテナ６３Ｌとして、アンテナ６３Ｌ１・６３Ｌ２が設けられている場合を例示する。
【００３５】
例えば、アンテナ６３Ｌ１はＬ−Ｂａｎｄ通信用のメインアンテナであり、アンテナ６３Ｌ２はＬ−Ｂａｎｄ通信用のサブアンテナである。メインアンテナとは、電波の送受信が可能なアンテナである。サブアンテナとは、電波の受信が可能なアンテナである。第１の例では、アンテナ切換制御部１５によって、アンテナ６３Ｌ１・６３Ｌ２が対象アンテナとして予め選択されているものとする。
【００３６】
図２の（ｂ）は、第１の例におけるタッチパネル７０の表示画面を概略的に示す。図２の（ｂ）は、スマートフォン１の正面視に相当する。図２の（ａ）および（ｃ）はそれぞれ、スマートフォン１の左側面視および右側面視に相当する。実施形態１では、タッチパネル７０には、図２の（ｂ）の画面のみが表示されるものとする。このため、図２の（ａ）および（ｃ）は、説明の便宜上の図である。但し、後述するように、図２の（ａ）および（ｃ）の画面を表示させてもよい。この点については、後述の図５・図８においても同様である。
【００３７】
図２の（ｂ）に示されるように、アンテナ６３Ｌ１は、筐体の左端かつ上端の位置に設けられている。また、アンテナ６３Ｌ２は、筐体の右端かつ下端の位置に設けられている。表示制御部１１は、アンテナ６３Ｌ１・アンテナ６３Ｌ２（対象アンテナ）の位置を示す画像を、タッチパネル７０に表示させる。図２の（ｂ）のＩＭＧＬ１は、スマートフォン１の正面視における、アンテナ６３Ｌ１の位置を示す画像である。また、ＩＭＧＬ２は、スマートフォン１の正面視における、アンテナ６３Ｌ２の位置を示す画像である。
【００３８】
ＩＭＧＬ１・ＩＭＧＬ２によれば、ユーザに対象アンテナの位置を、ユーザに視覚的に認識させることができる。このように、対象アンテナの位置を示す画像をタッチパネル７０に表示させることにより、ユーザが把持非推奨領域を把持する可能性を低減できる。つまり、把持推奨領域を把持することを、ユーザに間接的に促すことができる。
【００３９】
なお、図２の（ａ）におけるＩＭＧＬ１ａは、スマートフォン１の左側面視における、アンテナ６３Ｌ１の位置を示す画像である。ＩＭＧＬ１ａは、ＩＭＧＬ１に対応する。また、図２の（ｃ）におけるＩＭＧＬ２ｃは、スマートフォン１の右側面視における、アンテナ６３Ｌ２の位置を示す画像である。ＩＭＧＬ２ｃは、ＩＭＧＬ２に対応する。
【００４０】
図３は、第１の例におけるスマートフォン１の表示画面の別の例を示す。表示制御部１１は、把持推奨ライン（図３ではＬＬ）を示す画像を、タッチパネル７０の縁部に表示させる。把持推奨ラインとは、把持推奨領域の存在を示唆するライン（線）である。このため、ユーザが把持推奨ラインおよびその近傍を把持した場合、ユーザは高確率で把持推奨領域を把持できる。
【００４１】
図３のＬＬ１およびＬＬ２は、第１の例における把持推奨ライン（ＬＬ）の一例である。ＬＬは、アンテナ６３Ｌに応じた把持推奨ラインである。ＬＬによれば、ユーザにアンテナ６３Ｌの近傍を把持させないように促すことができる。このように、把持推奨ラインを示す画像をタッチパネル７０に表示させることによっても、ユーザが把持非推奨領域を把持する可能性を低減できる。つまり、把持推奨領域を把持することを、ユーザにより直接的に促すことができる。
【００４２】
図４は、第１の例におけるスマートフォン１の表示画面のさらに別の例を示す。図４は、図２と対になる図である。実施形態１では、タッチパネル７０には、図４の（ｂ）の画面のみが表示されるものとする。このため、図４の（ａ）および（ｃ）は、説明の便宜上の図である。但し、後述するように、図４の（ａ）および（ｃ）の画面を表示させてもよい。この点については、後述の図７・図１０においても同様である。
【００４３】
図４の（ｂ）に示されるように、表示制御部１１は、把持推奨領域（図４ではＳＬ）を示す画像を、タッチパネル７０に表示させる。図４の（ｂ）のＳＬ１〜ＳＬ３は、第１の例における把持推奨領域（ＳＬ）の一例である。ＳＬは、アンテナ６３Ｌに対する把持推奨領域である。ＳＬ１は、タッチパネル７０の中央部に位置する。これに対して、ＳＬ２およびＳＬ３はそれぞれ、タッチパネル７０の上部および下部に位置する。
【００４４】
このように、把持推奨領域を示す画像をタッチパネル７０に表示させることにより、把持推奨領域を把持することを、ユーザにさらに直接的に促すことができる。図４の（ｂ）では、ユーザが把持推奨領域ＳＬ１を把持するように、手ＵＨを筐体に接触させている。このため、アンテナ６３Ｌ１・６３Ｌ２の動作中における、通信品質の劣化を抑制できる。
【００４５】
なお、図４の（ａ）におけるＳＬ２ａは、スマートフォン１の左側面視における把持推奨領域を示す。ＳＬ２ａは、ＳＬ２に対応する。また、図４の（ｃ）におけるＳＬ３ｃは、スマートフォン１の右側面視における把持推奨領域を示す。ＳＬ３ｃは、ＳＬ３に対応する。
【００４６】
（第２の例）
図５〜図７はそれぞれ、スマートフォン１の動作の別の例（第２の例）について説明するための図である。図５〜図８はそれぞれ、図２〜図４と対になる図である。第２の例では、アンテナ６３Ｍとして、アンテナ６３Ｍ１・６３Ｍ２が設けられている場合を例示する。例えば、アンテナ６３Ｍ１はＭ−Ｂａｎｄ通信用のメインアンテナであり、アンテナ６３Ｌ２はＭ−Ｂａｎｄ通信用のサブアンテナである。第２の例では、アンテナ切換制御部１５によって、アンテナ６３Ｍ１・６３Ｍ２が対象アンテナとして予め選択されているものとする。
【００４７】
図５の（ｂ）に示されるように、アンテナ６３Ｍ１は、筐体の上端中央の位置に設けられている。また、アンテナ６３Ｍ２は、筐体の右端かつ下端の位置に設けられている。表示制御部１１は、アンテナ６３Ｍ１・アンテナ６３Ｍ２の位置を示す画像を、タッチパネル７０に表示させる。図５の（ｂ）のＩＭＧＭ１は、スマートフォン１の正面視における、アンテナ６３Ｍ１の位置を示す画像である。また、ＩＭＧＭ２は、スマートフォン１の正面視における、アンテナ６３Ｍ２の位置を示す画像である。
【００４８】
なお、図５の（ｃ）におけるＩＭＧＭ２ｃは、スマートフォン１の右側面視における、アンテナ６３Ｍ２の位置を示す画像である。ＩＭＧＭ２ｃは、ＩＭＧＭ２に対応する。これに対して、図５の（ａ）に示されるように、第２の例では、スマートフォン１の左側面視における、対象アンテナ（アンテナ６３Ｍ１・６３Ｍ２）の位置を示す画像は表示されない。第２の例では、対象アンテナは、筐体の左端に位置していないためである。
【００４９】
図６は、第２の例におけるスマートフォン１の表示画面の別の例を示す。表示制御部１１は、把持推奨ライン（図５ではＬＭ）を示す画像を、タッチパネル７０に表示させる。ＬＭは、アンテナ６３Ｍに応じた把持推奨ラインである。図６のＬＭ１およびＬＭ２は、第２の例における把持推奨ライン（ＬＭ）の一例である。
【００５０】
図７は、第２の例におけるスマートフォン１の表示画面のさらに別の例を示す。図７の（ｂ）に示されるように、表示制御部１１は、把持推奨領域（図７ではＳＭ）を示す画像を、タッチパネル７０に表示させる。図７の（ｂ）のＳＭ１およびＳＭ２は、第２の例における把持推奨領域（ＳＭ）の一例である。ＳＭは、アンテナ６３Ｍに応じた把持推奨領域である。ＳＭ１は、タッチパネル７０の左側に位置する。これに対して、ＳＭ２は、タッチパネル７０の右側に位置する。図７の（ｂ）では、ユーザが把持推奨領域ＳＭ１を把持するように、手ＵＨを筐体に接触させている。このため、アンテナ６３Ｍ１・６３Ｍ２の動作中における、通信品質の劣化を抑制できる。
【００５１】
なお、図７の（ａ）におけるＳＭ１ａは、スマートフォン１の左側面視における把持推奨領域を示す。ＳＭ１ａは、ＳＭ１に対応する。また、図７の（ｃ）におけるＳＭ２２ｃは、スマートフォン１の右側面視における把持推奨領域を示す。ＳＭ２ｃは、ＳＭ２に対応する。
【００５２】
（第３の例）
図８〜図１０はそれぞれ、スマートフォン１の動作のさらに別の例（第３の例）について説明するための図である。図８〜図１０はそれぞれ、図２〜図４と対になる図である。第３の例では、アンテナ６３Ｈとして、アンテナ６３Ｈ１・６３Ｈ２が設けられている場合を例示する。例えば、アンテナ６３Ｈ１はＨ−Ｂａｎｄ通信用のメインアンテナであり、アンテナ６３Ｈ２はＨ−Ｂａｎｄ通信用のサブアンテナである。第３の例では、アンテナ切換制御部１５によって、アンテナ６３Ｈ１・６３Ｈ２が対象アンテナとして予め選択されているものとする。
【００５３】
図８の（ｂ）に示されるように、アンテナ６３Ｈ１は、筐体の右端かつ上端の位置に設けられている。また、アンテナ６３Ｈ２は、筐体の左端かつ下端の位置に設けられている。表示制御部１１は、アンテナ６３Ｈ１・アンテナ６３Ｈ２の位置を示す画像を、タッチパネル７０に表示させる。図８の（ｂ）のＩＭＧＨ１は、スマートフォン１の正面視における、アンテナ６３Ｈ１の位置を示す画像である。また、ＩＭＧＨ２は、スマートフォン１の正面視における、アンテナ６３Ｈ２の位置を示す画像である。
【００５４】
なお、図８の（ａ）におけるＩＭＧＨ２ａは、スマートフォン１の左側面視における、アンテナ６３Ｈ２の位置を示す画像である。ＩＭＧＨ１ｃは、ＩＭＧＨ２に対応する。図８の（ｃ）におけるＩＭＧＭ１ｃは、スマートフォン１の右側面視における、アンテナ６３Ｈ１の位置を示す画像である。ＩＭＧＨ１ｃは、ＩＭＧＨ１に対応する。
【００５５】
図９は、第３の例におけるスマートフォン１の表示画面の別の例を示す。表示制御部１１は、把持推奨ライン（図９ではＬＨ）を示す画像を、タッチパネル７０に表示させる。図９のＬＨ１およびＬＨ２は、第３の例における把持推奨ライン（ＬＨ）の一例である。ＬＨは、アンテナ６３Ｈに応じた把持推奨ラインである。
【００５６】
図１０は、第２の例におけるスマートフォン１の表示画面のさらに別の例を示す。図１０の（ｂ）に示されるように、表示制御部１１は、把持推奨領域（図１０ではＳＨ）を示す画像を、タッチパネル７０に表示させる。図１０の（ｂ）のＳＨ１およびＳＨ２は、第３の例における把持推奨領域（ＳＨ）の一例である。ＳＨは、アンテナ６３Ｈに応じた把持推奨領域である。ＳＨ１は、タッチパネル７０の左側に位置する。これに対して、ＳＨ２は、タッチパネル７０の右側に位置する。図１０の（ｂ）では、ユーザが把持推奨領域ＳＨ１を把持するように、手ＵＨを筐体に接触させている。このため、アンテナ６３Ｈ１・６３Ｈ２の動作中における、通信品質の劣化を抑制できる。
【００５７】
なお、図１０の（ａ）におけるＳＨ１ａは、スマートフォン１の左側面視における把持推奨領域を示す。ＳＨ１ａは、ＳＨ１に対応する。また、図１０の（ｃ）におけるＳＨ２２ｃは、スマートフォン１の右側面視における把持推奨領域を示す。ＳＨ２ｃは、ＳＨ２に対応する。
【００５８】
（アンテナ切換テーブルを用いた対象アンテナの選択）
以下の説明では、図２〜図１０において説明した、タッチパネル７０の表示タイプ（表示態様）を、
・図２の（ｂ）の表示タイプ：表示タイプ１；
・図３の表示タイプ：表示タイプ２；
・図４の（ｂ）の表示タイプ：表示タイプ３；
・図５の（ｂ）の表示タイプ：表示タイプ４；
・図６の表示タイプ：表示タイプ５；
・図７の（ｂ）の表示タイプ：表示タイプ６；
・図８の（ｂ）の表示タイプ：表示タイプ７；
・図９の表示タイプ：表示タイプ８；
・図１０の（ｂ）の表示タイプ：表示タイプ９；
と称する。
【００５９】
アンテナ切換制御部１５は、（ｉ）現在位置特定部１２から現在位置情報を取得するとともに、（ｉｉ）記憶部９０からＴＢ（アンテナ切換テーブル）を読み出す。アンテナ切換テーブルとは、予め設定された各地点（位置）と各アンテナとの対応関係を示すテーブルである。アンテナ切換テーブルは、特殊テーブルと称されてもよい。アンテナ切換制御部１５は、現在位置情報およびＴＢに基づいて、現在位置に応じた対象アンテナを選択する。以下、アンテナ切換制御部１５が、セルラーアンテナの選択を行う場合を例示する。
【００６０】
図１１は、ＴＢの一例を示す図である。ＴＢにおいて、アンテナを示す項目「Ｈ−Ｂａｎｄ」は、アンテナ６３Ｈを表す。同様に、項目「Ｍ−Ｂａｎｄ」はアンテナ６３Ｍを、項目「Ｌ−Ｂａｎｄ」はアンテナ６３Ｌを、それぞれ表す。
【００６１】
ＴＢでは、各位置（Ａ地点〜Ｊ地点）における各アンテナの通信品質（例：電波受信特性）の評価結果が、予め設定されている。一例として、ＴＢでは、
・記号「◎」：通信品質が特に良好である；
・記号「○」：通信品質が良好である；
・記号「△」：通信品質がやや劣る；
・記号「×」：通信品質が劣る；
として、各アンテナの通信品質の評価結果が示されている。当該評価結果は、過去の通信における各アンテナの実際の通信品質に基づいて設定されてよい。また、ＴＢでは、各位置は、施設ごとに分類されている。一例として、Ｃ地点〜Ｅ地点は、職場に属する地点として分類されている。
【００６２】
アンテナ切換制御部１５は、現在位置に対応する地点（Ａ地点〜Ｊ地点のいずれか１つの地点）をＴＢから選択する。そして、アンテナ切換制御部１５は、ＴＢにおいて、当該地点において通信品質に最も優れていると評価されているアンテナを、対象アンテナとして選択する。
【００６３】
図１２は、職場（ＴＢにおいて分類されている施設の１つ）内の各地点（Ｃ地点〜Ｅ地点）における各アンテナの通信品質について説明するための図である。図１２に示されるように、職場（ＯＦ）には、２つの窓（ＷＤ）が設けられている。一例として、Ｃ地点はユーザ（Ｕ）の自席であり、Ｄ地点は会議室であり、Ｅ地点は休憩室である。ＯＦの外部には、基地局として、ＢＳＨ、ＢＳＭ、およびＢＳＬが設けられている。ＢＳＨはＨ−Ｂａｎｄ通信用の基地局であり、ＢＳＭはＭ−Ｂａｎｄ通信用の基地局であり、ＢＳＬはＬ−Ｂａｎｄ通信用の基地局である。
【００６４】
図１２において、Ｃ地点は、３つの基地局のうち、ＢＳＭに最も近くに位置している。このため、ＴＢでは、Ｃ地点において、Ｍ−Ｂａｎｄ通信用のアンテナ（アンテナ６３Ｍ）が、通信品質◎として設定されている。これに対して、Ｃ地点では、Ｈ−Ｂａｎｄ通信用のアンテナおよびＬ−Ｂａｎｄ通信用のアンテナは、通信品質○として設定されている。このように、Ｃ地点では、Ｍ−Ｂａｎｄ通信用のアンテナが最も優れた通信品質を有すると評価されている。従って、現在位置がＣ地点である場合（例：ユーザＵが自席に居る場合）、アンテナ切換制御部１５は、アンテナ６３Ｍを、当該Ｃ地点に応じた対象アンテナとして選択する。
【００６５】
さらに、ＴＢでは、上記評価結果に基づいて、各位置における表示タイプが設定されている。例えば、図１１に示されるように、Ｃ地点の表示タイプは、「表示タイプ５」として設定されている。このように、Ｃ地点では、アンテナ６３Ｍに応じた表示タイプが選択される。なお、Ｃ地点の表示タイプとして、「表示タイプ４」または「表示タイプ６」が設定されてもよい。一例として、アンテナ切換制御部１５は、選択された対象アンテナに対応する表示タイプ（例：表示タイプ５）を、表示制御部１１に通知する。表示制御部１１は、表示タイプ５の通り、タッチパネル７０に画面表示を行わせる。
【００６６】
なお、図１１の例では、「Ｈ地点」において、Ｈ−Ｂａｎｄ通信用のアンテナ（アンテナ６３Ｈ）およびＬ−Ｂａｎｄ通信用のアンテナ（アンテナ６３Ｌ）が、いずれも通信品質◎として設定されている。このように、通信品質の評価結果のみでは、対象アンテナを一意的に選択できない場合もある。この場合、過去の通信の履歴を参照し、より優位性が高いと考えられるアンテナを、現在位置に応じた対象アンテナとして選択すればよい。例えば、前回の通信時にＨ地点において選択された対象アンテナ（例：アンテナ６３Ｈ）を、今回の通信時の対象アンテナとして選択すればよい。
【００６７】
あるいは、直前の通信時からの位置の変化に基づいて、対象アンテナを選択してもよい。また、今後の位置の変化の予測（ユーザの移動の予測）に基づいて、対象アンテナを選択してもよい。
【００６８】
（スマートフォン１における処理の流れの一例）
図１３は、スマートフォン１における処理の流れを例示するフローチャートである。まず、制御部１０は、ネットワーク接続開始処理要求を受け付ける。ネットワーク接続開始処理要求は、所定の通信ネットワークへのスマートフォン１の接続を開始させる処理要求である。一例として、Ｓ１に先立ち、所定のアンテナ（例：アンテナ６３Ｈ）が、対象アンテナとして予め選択されているものとする。
【００６９】
ネットワーク接続開始処理が実行された後、現在位置特定部１２は、現在位置情報を取得する（Ｓ１）。姿勢検出部１４は、加速度センサ８１の検出結果に基づいて、スマートフォン１の姿勢を検出する（Ｓ２）。把持領域特定部１３は、接触センサの検出結果に基づいて、筐体に対する手ＵＨの接触を検出する（Ｓ３）。
【００７０】
把持領域特定部１３は、接触センサの検出結果に基づいて、把持領域を特定する。アンテナ切換制御部１５は、ＴＢを参照し、現在位置（例：Ｃ地点）に応じた対象アンテナ（例：アンテナ６３Ｍ）を選択する（Ｓ５，選択工程）。そして、アンテナ切換制御部１５は、アンテナ６３Ｈからアンテナ６３Ｍへの、対象アンテナの切換を実行する。把持推奨領域特定部１６は、ＴＢを参照し、アンテナ６３Ｍに応じた把持推奨領域を特定する（特定工程）。また、把持推奨領域特定部１６は、筐体の領域のうち、把持推奨領域を除いた領域を、把持非推奨領域として特定する。
【００７１】
電波強度判定部１７は、アンテナ６３ＭのＲＳＳＩを検出する。そして、電波強度判定部１７は、ＲＳＳＩ≧ＲＴＨであるか否かを判定する（Ｓ６）。ＲＳＳＩ≧ＲＴＨである場合（Ｓ６でＹＥＳ）、アンテナ６３Ｍによって無線通信に十分な強度の電波を受信できていると期待される。このため、ＲＳＳＩ≧ＲＴＨである場合、アンテナ切換制御部１５は、アンテナ６３Ｍを用いた通信を確立する（Ｓ７）。
【００７２】
これに対して、ＲＳＳＩ＜ＲＴＨである場合（Ｓ６でＮＯ）、アンテナ６３Ｍによって十分な強度の電波を受信できていないと懸念される。そこで、ＲＳＳＩ＜ＲＴＨである場合、表示制御部１１は、アンテナ６３Ｍに応じた把持推奨領域を示す画像を、タッチパネル７０に表示させる（Ｓ８，報知指示工程）。一例として、表示制御部１１は、表示タイプ６の通り、タッチパネル７０に画面表示を行わせる。その後、Ｓ２に戻り、同様の処理を繰り返す。
【００７３】
上述の通り、ユーザに把持推奨領域を報知することにより、ユーザに把持推奨領域を把持するように促すことができる。ユーザに把持推奨領域を把持させることにより、ＲＳＳＩを増加させることができる。その結果、アンテナ６３Ｍを用いた通信の通信品質を向上させることができる。
【００７４】
Ｓ７の後、制御部１０は、ネットワーク接続終了処理要求の有無を判定する（Ｓ９）。ネットワーク接続終了処理要求は、上記所定の通信ネットワークへのスマートフォン１の接続を終了させる処理要求である。制御部１０がネットワーク接続終了処理要求を受け付けた場合（Ｓ９でＹＥＳ）、処理を終了する。これに対して、ネットワーク接続終了処理要求が制御部１０に与えられなかった場合（Ｓ９でＮＯ）、Ｓ２に戻る。
【００７５】
（効果）
無線通信装置に設けられる複数のアンテナのうち、対象アンテナとして選択されるアンテナは、状況に応じて（例：現在位置の変化に応じて）相違しうる。従って、把持推奨領域および把持非推奨領域の位置も、状況に応じて変化しうる。しかしながら、従来技術（例：特許文献１）では、「どのアンテナが動作しているか（どのアンテナが対象アンテナとして選択されているか）を、ユーザに報知する」という着想については、何ら考慮されていない。このため、従来では、ユーザが把持非推奨領域を把持する可能性を低減できなかった。その結果、無線通信装置の通信品質を十分に向上させることは困難であった。
【００７６】
これに対して、スマートフォン１によれば、対象アンテナに応じた把持推奨領域をユーザに報知できる。このため、把持推奨領域を把持するようにユーザに促すことができる。すなわち、ユーザが把持非推奨領域を把持する可能性を低減できる。このように、スマートフォン１によれば、従来の無線通信装置に比べて、通信品質を向上させることが可能となる。
【００７７】
〔変形例〕
実施形態１とは異なり、スマートフォン１の側面（例：左側面および右側面のそれぞれ）に、付加的な表示部をさらに設けてもよい。以下の例では、スマートフォン１の左側面に設けられた表示部を、表示部７１ａと称する。また、スマートフォン１の右側面に設けられた表示部７１を、表示部７１ｃと称する。一例として、表示部７１ａ・７１ｃは、表示部７１と同様に、液晶パネルであってよい。
【００７８】
この場合、タッチパネル７０に図２の（ｂ）の画面表示をさせている期間において、（ｉ）表示部７１ａに図２の（ａ）の画面表示をさせ、かつ、（ｉｉ）表示部７１ｃに図２の（ｃ）の画面表示をさせてもよい。この点については、図４等についても同様である。当該構成によれば、スマートフォン１の側面においても、把持推奨領域をユーザに報知できる。それゆえ、ユーザがスマートフォン１の正面を十分に視認できない場合にも、把持推奨領域をユーザに認識させることができる。それゆえ、ユーザの利便性を向上させることができる。
【００７９】
なお、スマートフォン１の側面に、発光素子（例：ＬＥＤ（Light Emitting Diode））を複数設けてもよい。この場合、当該発光素子を、表示部７１ａ・７１ｃとして使用できる。当該構成によれば、液晶パネルを用いる場合に比べて、表示部７１ａ・７１ｃのコストを低減できる。
【００８０】
〔変形例〕
表示部７１ａ・７１ｃを設けることなく、図２の（ａ）および（ｃ）のそれぞれの画面表示を行うこともできる。例えば、タッチパネル７０において、（ｉ）中央のエリアに図２の（ｂ）の画面表示をさせ、（ｉｉ）左端のエリアに図２の（ａ）の画面表示をさせ、（ｉｉｉ）右端のエリアに図２の（ｃ）の画面表示をさせてもよい。この点についても、図４等においても同様である。
【００８１】
〔変形例〕
実施形態１では、タッチパネル７０（表示部７１）を、報知部として機能させる場合を例示した。但し、報知部の報知態様は、視覚的な報知態様のみに限定されない。タッチパネル７０は、視覚的に報知を行う報知部（視覚的報知部）の一例である。
【００８２】
一例として、バイブレータを報知部として用いることができる。この場合、例えば、制御部１０は、ユーザが把持非推奨領域を把持したことが検出された場合に、バイブレータを強く振動させてよい。このように、報知部は、ユーザが把持非推奨領域を把持している旨を、ユーザに報知（アラート）してもよい。これにより、把持非推奨領域を把持すべきではない旨を、ユーザにより確実に認識させることができる。その結果、スマートフォン１の通信品質をさらに向上させることができる。
【００８３】
これに対し、制御部１０は、ユーザが把持推奨領域を把持したことが検出された場合、バイブレータを穏やかに振動させてよい。このように、触覚的な報知態様によって、把持推奨領域を直接的または間接的に報知してもよい。バイブレータは、触覚的に報知を行う報知部（触覚的報知部）の一例である。
【００８４】
あるいは、スピーカを報知部として用いることもできる。この場合、例えば、制御部１０は、ユーザが把持非推奨領域を把持したことが検出された場合に、スピーカにビープ音を出力させてよい。これに対し、制御部１０は、ユーザが把持推奨領域を把持したことが検出された場合に、スピーカにビープ音とは異なる所定の音を出力させてよい。当該所定の音は、ユーザがスマートフォン１を適切に把持している旨を、当該ユーザに示唆するものであればよい。このように、聴覚的な報知態様によって、把持推奨領域を直接的または間接的に報知してもよい。スピーカは、聴覚的に報知を行う報知部（聴覚的報知部）の一例である。
【００８５】
以上のように、本発明の一態様に係る報知部は、把持推奨領域を直接的または間接的に報知できればよい。また、視覚的報知部、触覚的報知部、および聴覚的報知部のうちの２つ以上を組み合わせて、全体として１つの報知部を構成してもよい。すなわち、本発明の一態様に係る報知部は、視覚的報知部、触覚的報知部、および聴覚的報知部のうちの少なくともいずれかを含む。
【００８６】
〔変形例〕
アンテナ切換制御部１５は、姿勢検出部１４によって検出されたスマートフォン１の姿勢にさらに基づいて、対象アンテナを選択してもよい。各アンテナの電波受信特性は、スマートフォン１の姿勢によって異なりうるためである。例えば、スマートフォン１が水平面に対して直立している場合（傾斜角＝９０°）と、当該スマートフォン１が水平面に平行である場合（傾斜角＝０°）とでは、一部のアンテナの電波受信特性が異なりうる。
【００８７】
ＴＢには、各地点における対象アンテナの姿勢と通信品質との関係を示すデータがさらに付加されてもよい。アンテナ切換制御部１５は、当該データをさらに参照し、スマートフォン１の現在の姿勢に応じて、現在位置において好適な対象アンテナを選択してよい。
【００８８】
〔変形例〕
図１４は、一変形例に係るスマートフォン１Ｕ（無線通信装置）について説明するための図である。スマートフォン１Ｕにおける各アンテナの配置は、スマートフォン１と同様である。上述のように、セルラー通信のためのメインアンテナ（アンテナ６３Ｌ１・Ｍ１・Ｈ１）はいずれも、筐体の上部に設けられている。これに対し、セルラー通信のためのサブアンテナ（アンテナ６３Ｌ２・Ｍ２・Ｈ２）はいずれも、筐体の下部に設けられている。
【００８９】
無線通信においては、少なくともメインアンテナが適切に動作していれば、最低限の通信機能が担保されると言える。そこで、スマートフォン１Ｕでは、Ｌ−Ｂａｎｄ通信、Ｍ−Ｂａｎｄ通信、Ｈ−Ｂａｎｄ通信のいずれにおいても、共通の把持推奨ライン（ＬＣ）が設定されている。表示制御部１１は、図１４に示されるように、ＬＣをタッチパネル７０に表示させる。
【００９０】
図１４のＬＣ１〜ＬＣ３は、ＬＣの一例である。ＬＣは、サブアンテナの位置に概ね対応する。ＬＣは、メインアンテナに共通の把持推奨ラインであるとも表現できる。このように、スマートフォン１Ｕでは、サブアンテナの特性向上を犠牲として、ＬＣが設定されている。
【００９１】
スマートフォン１Ｕによれば、対象アンテナとして選択されるセルラーアンテナの周波数帯によらず、ユーザに共通の（同一の）把持推奨ラインを提示できる。つまり、ユーザに同様の把持態様を許容できる。それゆえ、スマートフォン１に比べて通信品質がやや低下しうるものの、スマートフォン１に比べて高い利便性をユーザに提供できる。
【００９２】
同様に、スマートフォン１Ｕでは、サブアンテナの特性向上を犠牲として、Ｌ−Ｂａｎｄ通信、Ｍ−Ｂａｎｄ通信、Ｈ−Ｂａｎｄ通信のいずれにおいても、共通の把持推奨領域が設定されてもよい。
【００９３】
〔変形例〕
図１５は、別の変形例に係るスマートフォン１Ｖ（無線通信装置）について説明するための図である。スマートフォン１Ｖには、セルラーアンテナとして、アンテナ６３Ｘ１・６３Ｘ２が設けられている。一例として、アンテナ６３Ｘ１はメインアンテナであり、アンテナ６３Ｘ２はサブアンテナである。
【００９４】
加えて、スマートフォン１Ｖには、アンテナ６３Ｄがさらに設けられている。アンテナ６３Ｄは、地上波デジタル放送を受信するためのアンテナ（いわゆる、地デジアンテナ）である。図１５の例では、アンテナ６３Ｄは、筐体の外部に露出したホイップアンテナである。但し、アンテナ６３Ｄも、他のアンテナ（例：アンテナ６３Ｘ１・６３Ｘ２）と同様に、筐体に内蔵されてもよい。
【００９５】
図１５の例では、アンテナ６３Ｘ１・６３Ｘ２およびアンテナ６３Ｄが対象アンテナである。つまり、アンテナ６３Ｘ１・６３Ｘ２およびアンテナ６３Ｄが同時に動作している。例えば、ユーザが地上波デジタル放送を視聴中に、スマートフォン１Ｖがメールの受信処理を行っている場合に、このような状態が生じうる。
【００９６】
図１５の（ａ）は、スマートフォン１Ｖにおけるタッチパネル７０の表示画面の一例を示す。図１５の（ａ）は、図２の（ｂ）と対になる図である。スマートフォン１Ｖは、アンテナ６３Ｘ１・アンテナ６３Ｘ２の位置を示す画像（ＩＭＧＸ１・ＩＭＧＸ２）を、タッチパネル７０に表示させる。
【００９７】
図１５の（ｂ）は、スマートフォン１Ｖにおけるタッチパネル７０の表示画面の別の例を示す。図１５の（ｂ）は、図３と対になる図である。スマートフォン１Ｖは、把持推奨ライン（図１５の（ｂ）ではＬＸ）を示す画像を、タッチパネル７０に表示させる。図１５の（ｂ）のＬＸ１は、ＬＸの一例である。ＬＸは、アンテナ６３Ｘ１・６３Ｘ２およびアンテナ６３Ｄに対しての把持推奨ラインである。このように、スマートフォン１Ｖでは、アンテナ６３Ｘ１・６３Ｘ２の位置のみならず、アンテナ６３Ｄの位置をさらに考慮して、把持推奨ラインが設定されている。
【００９８】
図１５の（ｃ）は、スマートフォン１Ｖにおけるタッチパネル７０の表示画面のさらに別の例を示す。図１５の（ｃ）は、図４の（ｂ）と対になる図である。スマートフォン１Ｖは、把持推奨領域（図１５の（ｃ）ではＳＸ）を示す画像を、タッチパネル７０に表示させる。図１５の（ｃ）のＳＸ１およびＳＸ２は、ＳＸの一例である。ＳＸは、アンテナ６３Ｘ１・６３Ｘ２およびアンテナ６３Ｄに対しての把持推奨領域である。このように、スマートフォン１Ｖでは、把持推奨領域についても、アンテナ６３Ｄの位置をさらに考慮して設定されている。
【００９９】
〔実施形態２〕
図１６は、実施形態２のスマートフォン２（無線通信装置）の要部の構成を示す機能ブロック図である。スマートフォン２の制御部を、制御部２０（制御装置）と称する。制御部２０は、制御部１０とは異なり、ＡＰ（Access Point）判定部２８をさらに備える。実施形態２では、ＷＬＡＮ通信を行う場合の一例について述べる。
【０１００】
図１７〜図１９は、スマートフォン２における処理の流れを例示するフローチャートである。本明細書では、便宜上、１つのフローチャートを、３つの図面（図１７〜図１９）によって表している。以下では、図１３と同様の処理については説明を適宜省略する。以下では、実施形態２に特有の処理、および、当該処理の周辺の処理についてのみ述べる。
【０１０１】
まず、図１７を参照する。ＡＰ判定部２８は、ＷＬＡＮ通信用のＡＰを登録する（Ｓ１１）。その後、ＡＰ判定部２８は、現在位置がＡＰ登録エリア（ＡＰとして登録されたエリア）であるか否かを判定する（Ｓ１３）。
【０１０２】
現在位置がＡＰ登録エリアである場合（Ｓ１３でＹＥＳ）、制御部２０は、フラグ値Ｎを、Ｎ＝１に設定する（Ｓ１４）。フラグ値Ｎは、処理の反復回数を示す指標である。そして、図１８のＳ２１に進む。これに対し、現在位置がＡＰ登録エリアでない場合、上述のＳ２に戻る。この場合、セルラーアンテナによる通信が行われる。
【０１０３】
続いて、図１８を参照する。Ｓ１４の後、アンテナ切換制御部１５は、アンテナ６３Ｗを対象アンテナとして選択する（Ｓ２４）。制御部２０は、フラグ値Ｎと所定の閾値Ｎｔｈ（フラグ閾値）との大小関係を比較する。一例として、Ｎｔｈ＝５である。制御部２０は、Ｎ＜Ｎｔｈであるか否かを判定する（Ｓ２５）。後述のように、Ｎの値は１ずつカウントアップされうる。Ｎ＜Ｎｔｈである場合（Ｓ２５でＹＥＳ）、Ｓ２６へ進む。これに対して、Ｎ＝Ｎｔｈとなった場合（Ｓ２５でＮＯ）、処理を終了する。
【０１０４】
ＲＳＳＩ＜ＲＴＨである場合（Ｓ２６でＮＯ）、制御部２０は、Ｎ≧２であるか否かを判定する（Ｓ２７）。Ｎ≧２である場合（Ｓ２７でＹＥＳ）、図１９のＳ４１に進む。続いて、図１９を参照する。Ｓ４１は、Ｓ５と同様の処理である。Ｓ４３の後には、Ｓ３０に戻る。また、Ｓ４７の後には、Ｓ２５に戻る。
【０１０５】
再び図１８を参照する。Ｎ＝１である場合（Ｓ２７でＮＯ）、Ｓ２８へ進む。そして、制御部２０は、Ｎの値を１つカウントアップする（Ｓ２９）。つまり、制御部２０は、Ｎ＝Ｎ＋１として、Ｎの値を更新する。そして、Ｓ２１に戻る。なお、ＲＳＳＩ≧ＲＴＨである場合（Ｓ２６でＹＥＳ）、Ｓ３０に進む。ネットワーク接続終了処理要求が制御部２０に与えられなかった場合（Ｓ３０でＮＯ）、Ｓ２９に戻る。
【０１０６】
以上のように、スマートフォン２は、ＷＬＡＮ通信が実行可能であると期待される場合には、アンテナ６３ＷによるＷＬＡＮ通信を優先的に行う。そして、アンテナ６３Ｗの通信品質が良好でない場合には、セルラーアンテナへの切換を行う。つまり、ＷＬＡＮ通信からセルラー通信への切換を行う。
【０１０７】
〔実施形態３〕
図２０は、実施形態３のスマートフォン３（無線通信装置）の要部の構成を示す機能ブロック図である。スマートフォン２の制御部を、制御部３０（制御装置）と称する。制御部３０は、制御部１０とは異なり、学習部３８をさらに備える。
【０１０８】
学習部３８は、ユーザがスマートフォン３を把持する態様（以下、把持態様）を学習する。把持態様の一例としては、筐体に対しての手ＵＨの配置を挙げることができる。把持態様の別の例としては、筐体に対しての手ＵＨの角度（または手ＵＨの方向）を挙げることができる。スマートフォン３では、把持領域特定部１３は、接触センサの検出結果に基づいて、把持態様を特定する。
【０１０９】
一例として、学習部３８は、ユーザがスマートフォン３を把持するごとに、把持態様とアンテナ６３のそれぞれの通信品質との関係を示すデータを取得する。つまり、学習部３８は、把持態様とスマートフォン３の通信品質との関係を示すデータを取得する。
【０１１０】
学習部３８は、当該データの履歴を分析し、アシスト情報を生成する。そして、表示制御部１１は、アシスト情報をユーザに提示するように、タッチパネル７０に画面表示を行わせる。アシスト情報とは、ユーザに推奨すべき把持態様を示す情報である。一例として、アシスト情報には、複数の把持態様のうち、対象アンテナの特性劣化が生じにくい把持態様（以下、推奨把持態様）を示す情報が含まれる。推奨把持態様は、例えば、手ＵＨによって対象アンテナが覆われにくい把持態様である。
【０１１１】
ユーザにアシスト情報を提示することにより、推奨把持態様でスマートフォン３を把持するように、ユーザに促すことができる。その結果、通信品質をさらに向上させることができる。
【０１１２】
〔ソフトウェアによる実現例〕
スマートフォン１〜３の制御ブロック（特に制御部１０〜３０）は、集積回路（ＩＣチップ）等に形成された論理回路（ハードウェア）によって実現してもよいし、ソフトウェアによって実現してもよい。
【０１１３】
後者の場合、スマートフォン１〜３は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の一態様の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１４】
〔まとめ〕
本発明の態様１に係る無線通信装置（スマートフォン１）は、複数のアンテナ（６３，例：６３Ｌ〜６３Ｇ）を含む少なくとも１つの無線通信部（６０）と、少なくとも１つの報知部（例：表示部７１）と、上記無線通信部および上記報知部を制御する少なくとも１つの制御装置（制御部１０）と、を備えた無線通信装置であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナ（例：アンテナ６３Ｌ）とし、上記筐体の領域のうち、ユーザ（Ｕ）によって把持された場合に、上記対象アンテナの電波受信特性の劣化の程度が低い領域を把持推奨領域（例：ＳＬ）として、上記制御装置は、上記複数のアンテナの中から、上記対象アンテナを選択し、上記対象アンテナに応じた上記把持推奨領域を特定し、上記把持推奨領域を上記報知部に報知させる。
【０１１５】
上記の構成によれば、対象アンテナに応じた把持推奨領域をユーザに報知できる。つまり、把持推奨領域を把持するようにユーザに促すことができる。それゆえ、従来よりも通信品質を向上させることが可能となる。
【０１１６】
本発明の態様２に係る無線通信装置では、上記態様１において、上記制御装置は、上記無線通信装置の現在位置を示す位置情報を取得し、上記位置情報に基づいて、上記現在位置に応じた上記対象アンテナを選択することが好ましい。
【０１１７】
上記の構成によれば、現在位置に応じた適切なアンテナ（例：現在位置における通信品質が優れたアンテナ）を、対象アンテナとして選択できる。
【０１１８】
本発明の態様３に係る無線通信装置では、上記態様２において、予め設定された複数の地点のそれぞれにおける、上記複数のアンテナのそれぞれの電波受信特性の評価結果を示すテーブルを特殊テーブル（ＴＢ）として、上記制御装置は、上記特殊テーブルにさらに基づいて、上記現在位置に応じた上記対象アンテナを選択することが好ましい。
【０１１９】
上記の構成によれば、特殊テーブルを参照することにより、現在位置に応じた対象アンテナを、簡便に選択できる。
【０１２０】
本発明の態様４に係る無線通信装置は、上記態様２または３において、少なくとも１つの加速度センサ（８１）をさらに備え、上記制御装置は、上記加速度センサの検出結果に基づいて、上記無線通信装置の姿勢を検出し、上記無線通信装置の姿勢にさらに基づいて、上記現在位置に応じた上記対象アンテナを選択することが好ましい。
【０１２１】
上述のように、一部のアンテナの電波受信特性は、無線通信装置の姿勢によって変化しうる。そこで、上記の構成によれば、無線通信装置の姿勢をさらに考慮して、現在位置に応じた対象アンテナを選択できる。
【０１２２】
本発明の態様５に係る無線通信装置は、上記態様１から４のいずれか１つにおいて、上記報知部として、少なくとも１つの表示部をさらに備え、上記制御装置は、上記把持推奨領域を示す画像を上記表示部に表示させることが好ましい。
【０１２３】
上記の構成によれば、把持推奨領域を視覚的にユーザに報知できる。特に、把持推奨領域をユーザに直接的に報知できる。
【０１２４】
本発明の態様６に係る無線通信装置は、上記態様１から４のいずれか１つにおいて、上記報知部として、少なくとも１つの表示部をさらに備え、上記制御装置は、上記対象アンテナの位置を示す画像（例：ＩＭＧＬ１・ＩＭＧＬ２）を、上記表示部に表示させてもよい。
【０１２５】
上記の構成によれば、把持非推奨領域を把持しないようにユーザに促すことができる。つまり、視覚的な報知態様において、把持推奨領域をユーザに間接的に報知できる。
【０１２６】
本発明の態様７に係る無線通信装置は、上記態様１から４のいずれか１つにおいて、上記報知部として、少なくとも１つの表示部をさらに備え、上記制御装置は、上記把持推奨領域の存在を示唆する線（把持推奨ライン，例：ＬＬ１・ＬＬ２）を示す画像を、上記表示部の縁部に表示させてもよい。
【０１２７】
上記の構成によれば、視覚的な報知態様において、把持推奨領域をユーザに間接的に報知できる。この場合にも、把持推奨領域を把持するようにユーザに促すことができる。
【０１２８】
本発明の態様８に係る無線通信装置は、上記態様１から７のいずれか１つにおいて、上記ユーザが上記筐体を把持した位置を検出する少なくとも１つの接触センサ（例：入力部７２）をさらに備え、上記筐体の領域のうち、上記把持推奨領域を除いた領域を把持非推奨領域として、上記制御装置は、上記接触センサの検出結果に基づいて、上記ユーザが上記把持推奨領域を把持しているか否かを判定し、上記ユーザが上記把持非推奨領域を把持している場合、その旨を上記報知部に報知させることが好ましい。
【０１２９】
上記の構成によれば、把持非推奨領域を把持すべきではない旨を、ユーザにより確実に認識させることができる。その結果、通信品質をさらに向上させることができる。
【０１３０】
本発明の態様９に係る無線通信装置の制御方法は、複数のアンテナを含む少なくとも１つの無線通信部と、少なくとも１つの報知部と、を備えた無線通信装置を制御するための、無線通信装置の制御方法であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナとし、上記筐体の領域のうち、ユーザによって把持された場合に、上記対象アンテナの電波受信特性の劣化の程度が低い領域を把持推奨領域として、上記複数のアンテナの中から、上記対象アンテナを選択する工程と、上記対象アンテナに応じた上記把持推奨領域を特定する工程と、上記把持推奨領域を上記報知部に報知させる工程と、を含んでいる。
【０１３１】
本発明の態様１０に係る制御装置は、複数のアンテナを含む少なくとも１つの無線通信部と、少なくとも１つの報知部と、を備えた無線通信装置を制御する制御装置であって、上記複数のアンテナのそれぞれは、上記無線通信装置の筐体の異なる位置に設けられており、上記複数のアンテナのうち、電波を受信する動作を行わせる対象となる少なくとも１つの所定のアンテナを対象アンテナとし、上記筐体の領域のうち、ユーザによって把持された場合に、上記対象アンテナの電波受信特性の劣化の程度が低い領域を把持推奨領域として、上記制御装置は、上記複数のアンテナの中から、上記対象アンテナを選択するアンテナ選択部と、上記対象アンテナに応じた上記把持推奨領域を特定する把持推奨領域特定部と、上記把持推奨領域を上記報知部に報知させる報知制御部と、を備えている。
【０１３２】
本発明の各態様に係る無線通信装置は、コンピュータによって実現してもよく、この場合には、コンピュータを上記無線通信装置が備える各部（ソフトウェア要素）として動作させることにより上記無線通信装置をコンピュータにて実現させる無線通信装置の制御プログラム、およびそれを記録したコンピュータ読み取り可能な記録媒体も、本発明の一態様の範疇に入る。
【０１３３】
〔付記事項〕
本発明の一態様は上述した各実施形態に限定されるものではなく、請求項に示した範囲で種々の変更が可能であり、異なる実施形態にそれぞれ開示された技術的手段を適宜組み合わせて得られる実施形態についても本発明の一態様の技術的範囲に含まれる。さらに、各実施形態にそれぞれ開示された技術的手段を組み合わせることにより、新しい技術的特徴を形成できる。
【符号の説明】
【０１３４】
１、１Ｕ、１Ｖ、２、３  スマートフォン（無線通信装置）
１０、２０、３０  制御部（制御装置）
１１  表示制御部（報知制御部）
１２  現在位置特定部
１３  把持領域特定部
１４  姿勢検出部
１５  アンテナ切換制御部（アンテナ選択部）
１６  把持推奨領域特定部
６０  無線通信部
６３  アンテナ
６３Ｌ、６３Ｌ１、６３Ｌ２  アンテナ，対象アンテナ（Ｈ−Ｂａｎｄ通信用のアンテナ）
６３Ｍ、６３Ｍ１、６３Ｍ２  アンテナ，対象アンテナ（Ｍ−Ｂａｎｄ通信用のアンテナ）
６３Ｈ、６３Ｈ１、６３Ｈ２  アンテナ，対象アンテナ（Ｈ−Ｂａｎｄ通信用のアンテナ）
６３Ｗ  アンテナ（ＷＬＡＮ通信用のアンテナ）
６３Ｇ  アンテナ（ＧＰＳ通信用のアンテナ）
６３Ｄ  アンテナ，対象アンテナ（地デジアンテナ）
６３Ｘ１、６３Ｘ２  アンテナ，対象アンテナ
７０  タッチパネル
７１  表示部（報知部）
７２  入力部（接触センサ）
８０  センサ
８１  加速度センサ
８２  背面センサ（接触センサ）
８３  側面センサ（接触センサ）
ＳＬ  把持推奨領域（アンテナ６３Ｌに応じた把持推奨領域）
ＳＭ  把持推奨領域（アンテナ６３Ｍに応じた把持推奨領域）
ＳＨ  把持推奨領域（アンテナ６３Ｍに応じた把持推奨領域）
ＳＸ  把持推奨領域（アンテナ６３Ｘ１・Ｘ２およびアンテナ６３Ｄに応じた把持推奨領域）
ＬＬ  把持推奨ライン（アンテナ６３Ｌに応じた把持推奨ライン）
ＬＭ  把持推奨ライン（アンテナ６３Ｍに応じた把持推奨ライン）
ＬＨ  把持推奨ライン（アンテナ６３Ｈに応じた把持推奨ライン）
ＬＣ  把持推奨ライン（共通の把持推奨ライン）
ＩＭＧＬ１・ＩＭＧＬ２  画像（アンテナ６３Ｌの位置を示す画像）
ＩＭＧＭ１・ＩＭＧＭ２  画像（アンテナ６３Ｍの位置を示す画像）
ＩＭＧＨ１・ＩＭＧＨ２  画像（アンテナ６３Ｈの位置を示す画像）
ＩＭＧＸ１・ＩＭＧＸ２  画像（アンテナ６３Ｘ１・Ｘ２の位置を示す画像）
ＴＢ  アンテナ切換テーブル（特殊テーブル）
Ｕ  ユーザ
ＵＨ  手（ユーザの手，ユーザの身体の一部位）
【図１】
2019193164.tif 000003
【図２】
2019193164.tif 000004
【図３】
2019193164.tif 000005
【図４】
2019193164.tif 000006
【図５】
2019193164.tif 000007
【図６】
2019193164.tif 000008
【図７】
2019193164.tif 000009
【図８】
2019193164.tif 000010
【図９】
2019193164.tif 000011
【図１０】
2019193164.tif 000012
【図１１】
2019193164.tif 000013
【図１２】
2019193164.tif 000014
【図１３】
2019193164.tif 000015
【図１４】
2019193164.tif 000016
【図１５】
2019193164.tif 000017
【図１６】
2019193164.tif 000018
【図１７】
2019193164.tif 000019
【図１８】
2019193164.tif 000020
【図１９】
2019193164.tif 000021
【図２０】
2019193164.tif 000022